(57)【要約】心臓からの電気信号を取り出して心電図を形成するための装置において、その電気信号に対する電磁界の干渉を低減する。【解決手段】本発明は、人体、特に患者（Ｐ，２）の心臓から発生する電気信号を取り出すための装置に関する。この装置は、少なくとも二つの独立した接続要素（８，９；８０，９０）を有する。これら要素の各々が複数の支持部材（４）を有し、各支持部材には、平行ストランドを有する電気ケーブル（５，５’）を介して接続された複数の電極（３）が設けられ、電気ケーブルは信号取出カード（６）の入力（１０，１１）へ接続されており、電極（３）から発生する電気信号が、電磁界と干渉することなく、データの処理、分析及び出力を行う中央ユニット（７）へ受信及び送信されるようになっている。【選択図】図５
2004503323.tif 000002
【特許請求の範囲】
【請求項１】
人体、特に、患者（Ｐ，２）の心臓から発生する電気信号を取り出すための装置であって、少なくとも二つの独立した接続要素（８，９；８０，９０）を有し、これら要素はそれぞれ支持部材（４）を有し、各支持部材には平行ストランド状電気ケーブル（５，５’）を介して接続された電極（３）が設けられ、電気ケーブルは信号取出カード（６）の入力（１０，１１）へ接続されており、電極（３）からの電気信号が、電磁界と干渉することなく、データの処理、分析及び出力を行う中央演算処理ユニット（７）へ受信及び送信されるようになっていることを特徴とする装置。
【請求項２】
成人患者（Ｐ）のための二つの独立した接続要素（８０，９０）は、それぞれ、
・四つの支持部材（４）と、
・三つの支持部材（４）と、
を有し、四つの支持部材のそれぞれには、ケーブル（５）を介して信号取出カード（６）の入力（１０）に接続された電極（３）が設けられ、三つの支持部材のそれぞれには、他のケーブル（５）を介して信号取出カード（６）の入力１１に接続された二つの電極（３）が設けられていることを特徴とする請求項１に記載の装置。
【請求項３】
第１の接続要素（８０）は成人患者（Ｐ）の体に取り付けられ、各支持部材（４）は胸骨の位置を示す縦軸ＸＸ’をほぼ中心とした長方形のコーナーを形成するように配置されていることを特徴とする請求項２に記載の装置。
【請求項４】
第２の接続要素（９０）は患者（Ｐ）の体の心臓下に取り付けられ、二つの電極（３）が設けられた各支持部材（４）は患者の下方及び右側に延びるほぼ湾曲状の方向に配向されていることを特徴とする請求項２に記載の装置。
【請求項５】
若い患者（２）のための二つの独立した接続要素（８，９）は、それぞれ、
・二つの支持部材（４）と、
・他の二つの支持部材（４）と、
を有し、二つの支持部材のそれぞれには、信号取出カード（６）の入力（１０）に接続された電気ケーブル（５）を介して接続された三つの電極（３）が設けられ、他の二つの支持部材のそれぞれには、信号取出カード（６）の入力（１１）に接続された電気ケーブル（５’）を介して接続された二つ電極（３）が設けられていることを特徴とする請求項１に記載の装置。
【請求項６】
第１の接続要素（８）は患者（２）の体の胸部に取り付けられ、三つの電極（３）が設けられた各支持部材（４）が胸骨の位置を示す縦軸ＸＸ’の各側において縦方向に配置されるようになっていることを特徴とする請求項５に記載の装置。
【請求項７】
第２の接続要素（９）は患者（２）の体の心臓下に取り付けられ、二つの電極（３）が設けられた各支持部材（４）が患者（２）の下方及び右側に延びるほぼ湾曲状の方向に配向されるようになっていることを特徴とする請求項５に記載の装置。
【請求項８】
それぞれの支持部材（４）は編物又は非編物のテープから形成され、少なくとも一つの電極（３）を収容するのに適した一つの自己接着面（１２）が設けられ、支持部材（４）は、端部が丸く形成された延長部分（１３）と、延長部分（１３）の長い方の側部から延びるとともにその延長部分よりも大きい面領域を有する他の長方形部分（１４）とによって限定され、Ｔ字形の形状を有することを特徴とする請求項１に記載の装置。
【請求項９】
自己接着面（１２）は紙などで形成された保護フィルム（１５）によって被覆され、部分（１３，１４）の全面を覆うように支持部材（４）と類似した形状を有していることを特徴とする請求項８に記載の装置。
【請求項１０】
保護フィルム（１５）は第１の着脱可能な要素（１６）と、第２の着脱可能な要素（１７）とを形成するように切断され、第１の着脱可能な要素は、一方において、支持部材（４）の延長部分（１３）の面を完全に被覆し、他方において、前記支持部材の長方形部分（１４）の面の半分を被覆し、第２の着脱可能な要素（１６）は支持部材（４）の部分（１４）の残り面の他の半分を被覆することを特徴とする請求項９に記載の装置。
【請求項１１】
各電極（３）はゲル（２０）によって被覆された電気信号を受信するための面（１８）と、ケーブル（５，５’）に対する電気接続を形成するための面（１９）とを有することを特徴とする請求項１に記載の装置。
【請求項１２】
電極（３）は支持部材（４）上に配置され、それぞれの面（１８）は、保護フィルム（１５）の第１の着脱可能な要素（１６）を取り除いた後に、延長部分（１３）の自己接着面（１２）に貼り付けられ、一方、それぞれの面（１９）は長方形部分（１４）の面の半分に対応する自己接着面（１２）に貼り付けられていることを特徴とする請求項８に記載の装置。
【発明の詳細な説明】
【０００１】
本発明は、人体から発生する電気信号を取り出す装置、特に、心臓から発生する電気信号を取り出して心電図を形成するための装置に関する。
【０００２】
心電計は心臓血管病理を研究する上で基本的な手段である。そのため、これら心電計は完成度に程度の差はあるものの、多様な製造研究がなされている。
心電計の複雑度はリード線の数で決定される。その理由は、リード線の数が多いほど心臓から得られる情報が増えるためである。現在、１本から１２本のリード線を有する心電計が存在する。
１２本のリード線によって心電図を得るためには、電気ワイヤによって心電計に接続された１０個の電極を患者の体表に取り付ける必要がある。
【０００３】
１０個の電極は次のように取り付けられる。
・胸部上に６個の電極が取り付けられる。
・患者の体の先端である手首や足首に４個の電極が配置される。
電極によって取り出された電気信号は、心電計によって、直接紙媒体上で、あるいは特別なディスプレイ及び計算ソフトウェアを有するコンピュータを介して利用することができる。
【０００４】
電気信号を取り出すためには、二つの種類の電極、すなわち、バルブ電極又はプレゲル電極がある。
バルブ電極は吸引パッドであり、良好な粘着性をもたらすために、電極を受ける患者の体表領域にゲルの塗布を必要とする。医者は、これら電極を胸部、手首及び足首の各箇所に一つずつ配置しなくてはならない。
【０００５】
各吸引パッド型電極は、患者の体の部位に基づいた心電計の特定の入力に電気ワイヤで接続される。
プレゲル電極は、患者の体表上に配置された粘着構造を有するという点において、米国特許第４，３９３，５８４号、米国特許第４，５５９，９５０号、米国特許第４，０８２，０８７号及びヨーロッパ特許第０２８４９４３号に記載されたものと類似している。各電極は、ワニ口クリップ又はプレススタッドの何れかを介して電気ワイヤに接続される。
【０００６】
自己接着構造が米国特許第４，０８２，０８７号に示されるように数個の電極を有する場合、これらの電極はその構造内に組み込まれた電極ワイヤによって心電計に直接接続されている。
上述した電気信号を取り出す装置では、患者の体に取り付けられた電極位置と心電計との間に大きな面電磁界を生じ、その中を電磁波が通り、その電磁界が心電計のトレースを妨害することが分かっている。
【０００７】
【特許文献１】
米国特許第４，３９３，５８４号明細書
【特許文献２】
米国特許第４，５５９，９５０号明細書
【特許文献３】
米国特許第４，０８２，０８７号明細書
【特許文献４】
ヨーロッパ特許第０２８４９４３号明細書
【特許文献５】
フランス特許第２７６７４６７号明細書
【特許文献６】
フランス特許第２７６７４６８号明細書
【０００８】
本発明による電気信号取出装置は、特に、これらの欠点を解消するために意図されたものである。
本発明による電気信号を取り出すための装置は、それぞれ支持部材を有する少なくとも二つの独立した接続要素を有している。各支持部材には平行ストランド状電気ケーブルを介して接続された複数の電極が設けられている。電気ケーブルは信号取出カードの入力へ接続されており、電極からの電気信号が、電磁界と干渉することなく、データの処理、分析及び出力を行うための中央演算処理ユニットへ受信及び送信される。
【０００９】
本発明による電気信号を取り出すための装置は少なくとも二つの独立した接続要素を有する。接続要素は、それぞれ、
・二つの支持部材と、
・他の二つの支持部材と、
を有する。二つの支持部材のそれぞれには、信号取出カードの入力に接続された電気ケーブルを介して接続された三つの電極が設けられている。また、他の二つの支持部材のそれぞれには、信号取出カードの入力に接続された電気ケーブルを介して接続された二つの電極が設けられている。
【００１０】
本発明による電気信号を取り出すための装置は、患者の体の胸部に取り付けられた第１の接続要素を有し、三つの電極が設けられた各支持部材が胸骨の位置を示す縦軸ＸＸ’の各側において縦方向に配置されている。
【００１１】
本発明による電気信号を取り出すための装置は、患者の体の心臓下に取り付けられた第２の接続要素を有し、二つの電極が設けられた各支持部材が患者の下方及び右側に延びるほぼ湾曲状の方向に配向されている。
【００１２】
本発明による電気信号を取り出すための装置は、編物又は非編物のテープから形成され、電極を収容するのに適した自己接着面が設けられた支持部材を有する。支持部材は、端部が丸く形成された延長部分と、延長部分の長い方の側部から延びるとともにその延長部分よりも大きい面領域を有する他の長方形部分とによって限定されたＴ字形の形状を有する。
【００１３】
本発明による電気信号を取り出すための装置は紙などで形成された保護フィルムによって被覆される自己接着面を有する。自己接着面は部品の全面を覆うように支持部材と類似した形状を有する。
【００１４】
本発明による電気信号を取り出すための装置は、第１の着脱可能な要素と、第２の着脱可能な要素とを形成するように切断された保護フィルムを有する。第１の着脱可能な要素は、一方において、支持部材の延長部分の面を完全に被覆し、他方において、前記支持部材の長方形部分の面の半分を被覆し、第２の着脱可能な要素は、支持部材の部分の残り面の他の半分を被覆する。
【００１５】
本発明による電気信号を取り出すための装置は電極を有する。各電極は、ゲルによって被覆され電気信号を受信する面と、ケーブルに対する電気接続を形成するための面とを有する。
【００１６】
本発明による電気信号を取り出すための装置は支持部材に位置合わせされた電極を有する。その各面は、保護フィルムの第１の着脱可能な要素を取り除いた後に、延長部分の自己接着面に貼り付けられ、一方、別の各面は、長方形部分の面の半分に対応する自己接着面に貼り付けられている。
【００１７】
本発明による電気信号を取り出すための装置は電極を有する。電極は、各接続面が第２の着脱可能な要素によって保護されていない長方形部分の自己接着面の一部を被覆するように配置され、その着脱可能な要素の縁部と面との間に電気ケーブルを所定位置に配置させるための被覆されていない自己接着空間を形成している。
【００１８】
本発明による電気信号を取り出すための装置は保護フィルムの第２の着脱可能な要素を有する。この要素は長方形部分の自己接着面の他の半分を覆わないように剥離され、ケーブル周りで折り曲げられ、他方の半分に貼り付けられており、支持部材上に前記ケーブルを保持し、各電極の接続面上において電気ワイヤの接続を保護している。
【００１９】
本発明による電気信号を取り出すための装置は、タブを有する保護フィルムの第１の着脱可能な要素を有する。
本発明による電気信号を取り出すための装置は、支持部材の長方形部分を有する。長方形部分は、ケーブル周りに折り曲げられ、編物又は非編物材料から形成された自己接着テープによって補強されている。
【００２０】
本発明による電気信号を取り出すための装置は自己接着テープを有する。このテープは、ケーブルと保護フィルムの第１の着脱可能な要素のタブの折曲縁部との間に位置し、長方形部分の二つの折り曲げられた半分を相互に完全に固定している。
【００２１】
本発明による電気信号を取り出すための装置は自己接着テープを有する。テープは、一方の面、特に、第１の着脱可能な要素に対向する面に、広告ラベルを載せられるようになっている。
【００２２】
また、本発明による電気信号を取り出すための装置は電気ケーブルを有する。この電気ケーブルはその一端がコネクタに接続され、信号取出カードの入力に接続できるようになっている。
以下、添付図面を参照しながら限定的でない実施形態について説明する。これによって、本発明、その特徴及びそれによって得られる効果を容易に理解できるであろう。
【００２３】
図１は、従来技術の信号取出装置Ｄの数個の電極の位置、特に、符号Ｌ及びＲで示された電極の位置であって、成人の患者Ｐの体表上における位置を示している。
電極Ｌ及びＲは、各々ケーブルＳ１及びＳ２によってボックスＢを介して心電計Ｅに接続され、電気信号の送信が可能になっている。
【００２４】
ループが電極Ｌ，ＲのケーブルＳ１及びＳ２及び心電計ＥのボックスＢによって形成され、このループによって電磁界ＣＥが形成され、その電磁界ＣＥの領域が患者Ｐの体上の電極位置や電極と心電計との間の距離に応じて変化するものであることがわかる。
このように、電磁界ＣＥの領域は電極Ｌ，ＲのケーブルＳ１，Ｓ２及び心電計ＥのボックスＢによって形成されるループ内で形成される。
【００２５】
さらに、総数１２個のリード線、即ち、１２個の電極を有する従来の信号取出装置Ｄでは、二つの電極間で行われる各測定に対して電磁界ＣＥが存在する。
また、この電磁界ＣＥの領域が大きければ大きいほど、人体Ｐに近接する環境内に位置する電気装置から発生する電磁波がこの同じ電磁界を通過する機会が大きくなることもわかる。
【００２６】
図２は、従来の信号取出装置Ｄにおける電極Ｌ及びＲによって取り込まれた電気信号によるトレース結果を示す。
このトレースの画像表示は干渉を有することが分かる。すなわち、このトレース結果は、その鮮明性及び直線的規則性を妨害するような異なるサイズの一連の不規則な縦の線を有していることが分かる。
【００２７】
この画像表示は従来の信号取出装置Ｄに近接する電磁波による干渉を有する。
【００２８】
図３は、本発明による電気信号を取り出すための装置１における数個の電極、特に、二つの装置によるトレース結果を比較できるように電極Ｌ及びＲを示している。
信号取出装置１の電極Ｌ及びＲは、成人の患者Ｐの体に取り付けられ、心電図を生成するようになっている。
【００２９】
電極Ｌは、ケーブル５のストランド５０によって電極Ｒに接続されており、両電極が信号取出カード即ちアダプター６に接続可能となっている。
カード６は、データの処理及び出力を行うためのソフトウェアが備えられたコンピュータ７から成る中央演算処理ユニットに直接接続されるか、あるいはそれ自体は周知の心電計ＥのボックスＢに接続することができる。
【００３０】
ケーブル５は、相対して纏められた複数の平行なストランドから成り、その数はカード６に接続されるべき電極の数に応じて変化する。
その結果、電磁界ＣＥの領域はケーブル５の各平行なストランド間の間隔内に限定される。
【００３１】
このような構成のケーブル５は、リード線によって形成されるループによって生じる電磁界を低減することを可能にし、信号取出装置１に近接する電気装置から生じる電磁気的干渉を除去することを可能にする。
【００３２】
図４は、本発明による電気信号取出装置１の電極Ｌ，Ｒによって取り出された電気信号から得られるトレース結果を示す。
このトレースの画像表示は、図２に示されたものよりも明瞭であることが分かる。
【００３３】
これは曲線上のノイズが全体的に低減しているためである。なお、このノイズは近接する電気装置から発生する電磁波に直接関連するものである。
【００３４】
図５は、本発明による電気信号を取り出すための装置１における各電極の位置であって、成人患者Ｐの体上における位置を示す。
信号取出装置１は、電気信号を受信するための二つの独立した接続要素８０及び９０を有している。これらは、患者Ｐの体の異なる領域に配置され、それぞれ信号取出カード６の異なる入力に接続されている。
【００３５】
第１の接続要素８０は、符号Ｌ，Ｒ，Ｎ及びＦで示される電極からなる。符号Ｌ，Ｒ，Ｎ及びＦは、心電計の周辺電極を示すのに一般的に用いられる用語であり、患者Ｐの体上の各電極位置をユーザーにとって一層分かり易くするためのものである。
また、第１の接続要素８０は、四つの支持部材４を有し、各支持部材には電極３が設けられている。これらの電極は、ケーブル５によって信号取出カード６の入力１０に接続されている。
【００３６】
この場合、ケーブル５は、四つの独立した平行なストランド５０，５１，５２及び５３からなり、これらストランドが各電極３をカード６の入力１０に接続している。
第１の接続要素８０は成人患者Ｐの体に固定されており、各支持部材４が、胸骨の位置を示す縦軸ＸＸ’をほぼ中心としたほぼ正方形のコーナーを形成するように配置されている。
【００３７】
第２の接続要素９０は符号Ｃ１Ｃ２，Ｃ３Ｃ４，及びＣ５Ｃ６で示される電極からなる。符号Ｌ，Ｒ，Ｎ及びＦは心電計の前胸部用電極を示すのに一般的に用いられる用語であり、患者Ｐの体上の各電極位置をユーザーにとって一層分かり易くするためのものである。
また、第２の接続要素９０は三つの支持部材４を備え、各支持部材には、二つの電極３が設けられている。これら電極は、他のケーブル５によって、カード６の入力１１に接続されている。
【００３８】
この場合、ケーブル５は、六つの独立した平行なストランド５４〜５９からなり、これらストランドが各電極３をカード６の入力１１に接続している。
第２の接続要素９０は患者Ｐの体の心臓下に固定され、二つの電極３を有する各支持部材４は患者の下方及び右側に向かって延びるほぼ湾曲状の方向に配向されている。
【００３９】
本実施形態では、信号取出カード即ちアダプター６は、中央演算処理ユニット７を備える心電計ＥにボックスＢを介して接続される。
【００４０】
図６は、心電図生成のために、若い患者２の体に貼り付けた状態で取り付けられた電気信号を取り出すための装置１を示している。
信号取出装置１は、支持部材４に貼り付けられた電極３を備え、各電極は、電気ケーブル５，５’によって電気信号を取り出すためのカード６に接続されている。
【００４１】
信号取出カード６は、コンピュータ７を形成する中央演算処理ユニットに接続されている。この場合において、コンピュータには、カード６からのデータを処理及び出力するためのソフトウェアが設けられている。
信号取出カードは自動的に管理する集積マイクロプロセッサを有するモデム型のものであり、一方でケーブル５，５’の接続を自動的に管理し、他方で電極３から発生する電気信号の取り出し、さらに必要ならば、それら信号をメモリー内へ保存する。
【００４２】
コンピュータ７に設けられている処理ソフトウェアは、基本的機能、最新機能及び患者ファイルを有する。
高度な直感的基本機能は、医者のトレース分析作業を著しく簡略化する。各トレースを比較する機能はコンピュータのスクリーン上で認めることができ、そのうちの一つはフルスクリーンの単一窓でトレースの読み取り、ズーム機能、スクロールバー機能などを可能とする機能である。
【００４３】
最新機能は、自動的Ｐ−ＱＲＳ−ＴＰＲ計算などの１２個のリード線による心電図（ＥＫＧ）の全機能を有するが、とりわけ次のような分野における標準的な研究を可能にする。
・心臓形態学
・心拍障害
・心臓収縮
【００４４】
これらの研究は、本発明の対象である信号取出装置１をフランス特許第２ ７６７ ４６７号及びフランス特許第２ ７６７ ４６８号に開示されるとともに保護されている電子聴診器といっしょに用いることによって実現可能である。
信号取出装置１は電気信号を受信するための二つの独立した接続要素８，９を有している。これら接続要素は、患者２の体の異なる領域に配置され、各々が信号取出カード６の異なる入力に接続されている。
【００４５】
第１の接続要素８は、符号Ｌ，Ｒ，Ｎ，Ｆ，Ｃ１及びＣ２で示される電極から成っている。符号Ｌ，Ｒ，Ｎ及びＦは周辺電極に対して一般的に用いられる用語であり、一方、符号Ｃ１及びＣ２は心電計の前胸部用電極に対して用いられる用語である。
【００４６】
また、第１の接続要素８は二つの支持部材４を有し、各支持部材には三つの電極３が設けられ、これら電極はケーブル５によって信号取出カード６の入力１０に接続されている。
第１の接続要素８は患者２の体の胸部に固定され、三つの電極３を有する各支持部材４が、胸骨の位置を示す縦軸ＸＸ’のそれぞれの側において、縦方向に配置されている。
【００４７】
第２の接続要素９は、符号Ｃ３，Ｃ４，Ｃ５，及びＣ６で示される電極からなる。符号Ｃ３，Ｃ４，Ｃ５及びＣ６は心電計の前胸部用電極に対して用いられる用語である。
また、第２の接続要素９は二つの支持部材４を有し、各支持部材には二つの電極３が設けられ、これら電極は他のケーブル５’によって信号取出カード６の入力１１に接続されている。
【００４８】
第２の接続要素９は患者２の体の心臓下に固定され、二つの電極３を有する各支持部材４は患者の下方及び右側に向かって延びるほぼ湾曲状の方向に配向されている。
【００４９】
図７〜図１３は、本発明による信号取出装置１における接続要素８，９，８０及び９０に設けられている支持部材４の例を示している。
図７〜図１３に例示された支持部材４は三つの電極３を有する。他の支持部材の構造も同一であり、これら支持部材は、接続要素に応じて、また、本発明による信号取出装置１の使用状態に応じて、１個、２個又は３個の何れかの電極を有する。
【００５０】
図７は、織物テープ又は非織物テープから形成された支持部材４を示す。この支持部材には電極３を取り付けるのに適した自己接着面１２が設けられている。
支持部材４は、端部が丸く形成された延長部分１３と、延長部分１３の長い方の側部から延びるとともにその延長部分１３よりも大きい領域を有する他の長方形部分１４とによって限定され、Ｔ字形などの形状を有する。
【００５１】
自己接着面１２は紙などで形成された保護フィルム１５によって被覆されている。保護フィルムは部分１３及び１４の全面を覆うように、支持部材４の形状と類似した形状を有している。
【００５２】
保護フィルム１５は第１の着脱可能な要素１６を形成するように切断されており、一方において、支持部材４の延長部分１３の面を完全に被覆し、他方において、支持部材４の長方形部分１４の面の半分を被覆する。
保護フィルム１５は第２の着脱可能な要素１７を有し、この要素が支持部材４の部分１４における残りの面の他の半分を被覆する。
【００５３】
図８は支持部材４を示している。支持部材の保護フィルム１５の第１の着脱可能な要素１６は順次剥離され、一方において、延長部分１３の自己接着面１２から完全に取り除かれ、他方において、長方形部分１４を覆う自己接着面１２の半分からも取り除かれている。
【００５４】
第１の着脱可能な要素１６が剥離されると、実施の形態に応じて、第１の接続要素８，８０或いは第２の接続要素９，９０のいずれかに対応する１個、２個又は３個の何れかの電極３を支持部材４の自己接着面１２上に貼り付けることが可能になる。
【００５５】
電極３は電気信号を受信するための面１８と、各電気ケーブル５，５’の対応するストランドを結合するための湾曲形状を有する面１９とを有する。
各電極３の長方形の面１８は患者２の皮膚との接触を容易にするためのゲル２０で覆われている。
【００５６】
電極３は支持部材４に位置合わせされ、各面１８が延長部分１３の自己接着面１２に貼り付けられ、一方、湾曲形状を有する各面１９は長方形部分１４の面の半分に対応する自己接着面１２の被覆されていない領域に貼り付けられている。
【００５７】
図９は複数の電極３が取り付けられた支持部材４を示す。電極の数は接続要素８，８０或いは接続要素９，９０の実施形態に応じて変化する。
保護フィルム１５の着脱可能な要素１６は、タブ２１を形成するように折り曲げられた後、支持部材４の延長部分１３の自己接着面１２上の所定位置に配置されている。これによって、電極３の長方形を有する面１８だけを保護することができる。
【００５８】
電極３は、各湾曲形状を有する面１９が着脱可能な要素１７によって保護されていない長方形部分１４の自己接着面１２の一部を被覆するように配置され、着脱可能な要素１７の縁部と湾曲形状を有する面１９との間に自己接着性の自由領域２２が形成されている。
【００５９】
図１０は、平行なストランド、例えば、長方形部分１４の自由領域２２に貼り付けられた電気ケーブル５のストランドに接続された電極３が取り付けられた支持部材４を示す。
電気ケーブル５は、総数６個のうちの３個の電気ワイヤ又はストランド２３〜２５を被覆しないように、その面の一方が予め部分的に剥がされており、他のワイヤ又はストランド２６〜２８は、例えば、第１の接続要素８を形成する他の支持部材４の接続を可能にする。
【００６０】
ワイヤ又はストランド２３〜２５の末端は剥がされており、支持部材４の各電極３の湾曲形状を有する面１９上にそれぞれ配置されている。
自己接着性のフィルム２９がワイヤ又はストランド２３〜２５を各電極３の湾曲形状を有する面１９に固定し、各電極３とそのワイヤ又はストランドとの間に接続及び電気的接触を形成している。
【００６１】
図１１及び図１２は支持部材４を示す。支持部材には、たとえば、接続要素８を形成するために、電気ケーブル５に接続された電極３が設けられている。
保護フィルム１５の着脱可能な要素１７は剥離されており、長方形部分１４の自己接着面１２の他の半分を覆わないようになっている。
【００６２】
長方形部分１４のこの半分は、ケーブル５の周りで折り曲げられ、他の半分に貼り付けられており、支持部材４上にケーブルを保持し、各電極３の湾曲形状を有する面１９上において電気ワイヤ又はストランド２３〜２６の接続を保護している。
【００６３】
長方形部分１４のこの半分は、ケーブル５の回りに折り曲げられ、その自由端は、延長部分１３の直近において、タブ２１が設けられた保護フィルム１５の着脱可能な要素１６によって保護されている。
ケーブル５回りで折り曲げられた支持部材４の長方形部分１４は、織物又は非織物材料から形成された自己接着性テープ３０によって補強されている。
【００６４】
自己接着性テープ３０は、ケーブル５と保護フィルム１５の着脱可能な要素１６のタブ２１の折曲縁部との間に位置しており、長方形部分１４の折り曲げられた二つの半分の部分を相互に重ね合わせて完全に固定して、長方形部分が開かないようになっている。
自己接着性テープ３０は、一方の面、特に、着脱可能な要素１６に対向する面に、広告ラベルを載せられるように設計されている。
【００６５】
図１３は電気ケーブル５を示す。この電気ケーブルはその一端が信号取出カード６の入力１０に接続するためのコネクタ３１に接続されている。
ケーブル５，５’の一端に接続された各コネクタ３１は異なる寸法を有し、信号取出カード６における医者による何らかの接続エラーの発生を防止できるようになっている。
【００６６】
本発明による信号取出装置１は、各形態において、２個の接続要素８，９；８０，９０を有し、成人患者Ｐ又は若い患者２の体から電気信号が得られるようにしている。
接続要素８，９及び８０，９０を成人患者Ｐ又は若い患者２の体表に取り付けることは非常に容易である。その理由は、医者にとっては、タブ２１を引っ張ることによって保護フィルム１５の着脱可能な要素１６を剥離して、支持部材４の延長部分１３に対応する自己接着面１２の被覆状態を解除するだけで済むからである。
【００６７】
その後、医者は患者に応じた各接続要素８，９又は８０，９０の支持部材４を所定位置に配置して、ゲル２０で覆われた各電極３の面１８が成人患者Ｐ又は若い患者２の皮膚に接触させられる。
【００６８】
最後に、医者は、接続要素８，９又は８０，９０のケーブル５及び５’を信号取出カード６の対応する入力１０及び１１に接続し、心臓から発生する電気信号が信号取出カードのメモリー内に保存される。
信号取出カード６によって回収されたデータは心電計Ｅ、又はソフトウェアによってデータを処理するコンピュータ７の何れかに伝送され、医者は成人患者Ｐ又は若い患者２の心電図のトレースを得ることができる。
【００６９】
なお、電極３の形状は、本発明の趣旨を変更しない限り、異なるものであってもよい。その理由は、各電極は電気信号を受信する領域と、電気接続領域とを有していれば良く、前者の領域はゲルによって被覆されていてもいなくても良いからである。
【００７０】
また、ケーブル５及び５’は、本発明の趣旨を変更しない限り、リボンの形態の平行ワイヤ又はストランドとして形成されてもよいし、或いは、プリント回路又は集積回路などとして形成されてもよい。
【００７１】
医者は信号取出装置６の三つ目の入力に接続された電子聴診器を用いて検査を補足することも可能である。これによれば、心音図が生成され、その結果がコンピュータ７のソフトウェアによって処理及び分析される。
【００７２】
上記の説明は単なる例であり、上述した実施形態の詳細が他の等価なものと置換可能である限り、本発明はその要旨を逸脱しない範囲で制限されない。
【図面の簡単な説明】
【図１】従来の信号取出装置の数個の電極が配置された患者の体上の位置、及びリード線で形成されたループによって誘起された電磁界領域を示す概略図である。
【図２】図１の従来の信号取出装置によって得られたトレースを示す概略図である。
【図３】本発明による信号取出装置の数個の電極の位置を示した概略図であり、図１と同様な図である。
【図４】図３に示された本発明による信号取出装置によって得られたトレースを示す概略図である。
【図５】本発明による信号取出装置の全ての電極の成人患者の体上における配置を示す概略図である。
【図６】本発明による信号取出装置の全ての電極の若い患者の体上における配置を示す概略図である。
【図７】電極を収容する支持部材の構造を示す図であり、各支持部材が、本発明による信号取出装置の使用モードに応じて、１個、２個又は３個の何れかの電極を収容する構造を示す図である。
【図８】電極を収容する支持部材の構造を示す図であり、各支持部材が、本発明による信号取出装置の使用モードに応じて、１個、２個又は３個の何れかの電極を収容する構成を示す図である。
【図９】電極を収容する支持部材の構造を示す図であり、各支持部材が、本発明による信号取出装置の使用モードに応じて、１個、２個又は３個の何れかの電極を収容する構成を示す図である。
【図１０】電極を収容する支持部材の構造を示す図であり、各支持部材が、本発明による信号取出装置の使用モードに応じて、１個、２個又は３個の何れかの電極を収容する構成を示す図である。
【図１１】電極を収容する支持部材の構造を示す図であり、各支持部材が、本発明による信号取出装置の使用モードに応じて、１個、２個又は３個の何れかの電極を収容する構成を示す図である。
【図１２】電極を収容する支持部材の構造を示す図であり、各支持部材が、本発明による信号取出装置の使用モードに応じて、１個、２個又は３個の何れかの電極を収容する構成を示す図である。
【図１３】電極を収容する支持部材の構造を示す図であり、各支持部材が、本発明による信号取出装置の使用モードに応じて、１個、２個又は３個の何れかの電極を収容する構成を示す図である。
【符号の説明】
Ｐ，２　患者
３　電極
４　支持部材
５，５’　ケーブル
６　信号取出カード
７　中央演算処理ユニット
８，９，８０，９０　接続要素
１０，１１　入力
１２　自己接着面
１３　延長部分
１４　長方形部分
１５　保護フィルム
１６，１７　要素
１８，１９　面
２０　ゲル
【図１】
2004503323.tif 000003
【図３】
2004503323.tif 000004
【国際公開パンフレット】
2004503323.tif 000005
2004503323.tif 000006
2004503323.tif 000007
2004503323.tif 000008
2004503323.tif 000009
2004503323.tif 000010
2004503323.tif 000011
2004503323.tif 000012
2004503323.tif 000013
2004503323.tif 000014
2004503323.tif 000015
2004503323.tif 000016
2004503323.tif 000017
2004503323.tif 000018
2004503323.tif 000019
2004503323.tif 000020
2004503323.tif 000021
2004503323.tif 000022
2004503323.tif 000023
2004503323.tif 000024
2004503323.tif 000025
2004503323.tif 000026
2004503323.tif 000027
【国際公開パンフレット（コレクトバージョン）】
2004503323.tif 000028
2004503323.tif 000029
2004503323.tif 000030
2004503323.tif 000031
2004503323.tif 000032
2004503323.tif 000033
2004503323.tif 000034
2004503323.tif 000035
2004503323.tif 000036
2004503323.tif 000037
2004503323.tif 000038
2004503323.tif 000039
2004503323.tif 000040
2004503323.tif 000041
2004503323.tif 000042
2004503323.tif 000043
2004503323.tif 000044
2004503323.tif 000045
2004503323.tif 000046
2004503323.tif 000047
2004503323.tif 000048
2004503323.tif 000049
2004503323.tif 000050
2004503323.tif 000051
【国際調査報告】
2004503323.tif 000052
2004503323.tif 000053
2004503323.tif 000054
2004503323.tif 000055
2004503323.tif 000056
2004503323.tif 000057